(57)【要約】      （修正有）【課題】点滴速度調整補助具において、モード切換えや数値入力に、従来よりも多くの操作キーを割り当てて操作ミスを生じにくくし、併せて、加減乗除計算を行うことを可能にする。【解決手段】点滴モードと電卓モードと時間モードとカウントダウンタイマーモードとの間でモード切換えを行うモード選択キー２３を備える。点滴モードでは輸液セットでの滴下タイミングを周期的にアラーム表示又は光学表示する。点滴モードでの単位量当りの滴下数を選択する滴下数選択キーと、単位時間当りの輸液速度や輸液総量などを入力するための数値キーとを含むテンキー２１を備え、このテンキー２１によって電卓モードでの加減乗除計算を行うための数値入力を行うようにする。【選択図】図2
0003103399.tif 000002
【実用新案登録請求の範囲】
【請求項１】
点滴モードと、加減乗除計算を行うための電卓モードと、時間表示を行うための時間モードと、カウントダウンを行うためのカウントダウンタイマーモードとの間でモード切換えを行うモード選択キーを備えると共に、点滴モード、電卓モード、時間モード、カウントダウンタイマーモードのそれぞれにおいて所要事項を表示するための液晶表示画面を備え、点滴モードでは輸液セットでの滴下タイミングを周期的にアラーム表示又は光学表示するようになっている点滴速度調整補助具であって、
上記点滴モードに、輸液セットによって定まる単位量当りの滴下数と輸液総量と輸液時間とから滴下時間間隔を算出する演算機能を備え、この点滴モードでの単位量当りの滴下数、輸液総量及び輸液時間を入力するための数値キーとを含むテンキーを備えていると共に、このテンキーによって上記電卓モードでの加減乗除計算を行うための数値の入力、カウントダウンの設定時間の入力、時間表示のための時間の入力を行うように構成したことを特徴とする点滴速度調整補助具。
【請求項２】
前記点滴モード、カウントダウンタイマーモードにおける液晶表示画面には、常時現在の時刻が表示される構成とした請求項１に記載した点滴速度調整補助具。
【請求項３】
前記点滴モード、電卓モード、時間モード、カウントダウンタイマーモードのそれぞれにおいて所要事項を表示するための液晶表示画面及び前記所要事項を表示するための入力用キー群にバックライト機能が備わっている請求項１または請求項２に記載した点滴速度調整補助具。
【請求項４】
前記バックライトを点灯するライトキーが備えられ、最後のキー操作後、所定時間経過後に自動的に消灯するように構成した請求項３に記載した点滴速度調整補助具。
【請求項５】
前記液晶表示画面と入力用キー群とを手のひらに乗せて掴むことのできる大きさに形成された偏平な筐体の前面に、前記入力用キー群の設置個所を開閉自在とする開閉カバーを設けた請求項３または請求項４に記載した点滴速度調整補助具。
【請求項６】
前記開閉カバーの裏面に鏡を設けた請求項５に記載した点滴速度調整補助具。
【考案の詳細な説明】
【技術分野】
【０００１】
本考案は、輸液セットを用いて人体に点滴処置を施すときに、輸液セットの滴下タイミングを適切に調節することに役立つ点滴速度調整補助具に関する。
【背景技術】
【０００２】
点滴処置に用いられる一般的な輸液セットでは、輸液袋に差し込んだ滴下針から液溜筒内に滴下させた輸液が、その液溜筒から連結チューブや輸液針などを経て患者の体内に注入されるようになっている。そして、体内への輸液の注入の速度は、連結チューブの途中箇所に設けられた手動式の流量調節器によって調節される。すなわち、流量調節器を手動調節すると、滴下針からの輸液の滴下時間間隔が変動して体内への輸液の注入の速度が調整される。
【０００３】
また、一般的には、輸液セットの種類が、１ｍｌの輸液を滴下針から滴下させるのに必要なおおよその滴下数を基準として定められている。たとえば、輸液セットには、１ｍｌに相当する滴下数が、１５滴のものと、１９滴のものと、２０滴のものと、６０滴のものとがあり、これらの輸液セットのいずれを用いるかによって滴下針からの滴下タイミングの時間的間隔を上記した流量調節器によって手動にて適切に調節するようにしている。
【０００４】
ところで、実際の点滴処置において、滴下タイミングの滴下時間間隔を定める方法として演算法と時間当り法とが提案されていて、演算法は、点滴に用いる輸液セットの種類を決定すると共に、輸液総量（ｍｌ）と輸液時間（輸液総量全部を滴下させる時間）とを決定した後、それらを因子として滴下時間間隔を算出するという方法であり、時間当り法は、点滴に用いる輸液セットの種類を決定すると共に、単位時間当りの輸液速度（ｍｌ／ｈ）を決定し、それらを因子として滴下時間間隔を算出するという方法である。これらのいずれの方法においても、算出された滴下時間間隔に合わせて流量調節器を手動調節することにより滴下タイミングを定める。
【０００５】
そして、従来は、滴下時間間隔の算出や流量調節器の手動操作は看護師などによって行われ、滴下時間間隔は、看護師が常時携行しているカード型電卓などのテンキーを操作して計算により算出したり看護師が暗算で算出したりすることがあった。
【０００６】
一方、輸液を適切な滴下時間間隔で滴下させるための流量調節器の調節を容易にかつ正確に行うことができるようにするための補助具として、点滴速度調整補助具が従来より知られていた。この点滴速度調整補助具は、上記した演算法に基づく演算モードと時間当り法に基づく時間当りモードを選択することができるようになっていて、演算モードでは、輸液セットの種類と、輸液総量（ｍｌ）と、輸液時間とを入力すると、それらの入力値から滴下時間間隔が演算され、その演算値により滴下タイミングを周期的なアラーム表示又は光学表示によって看護師などのオペレータに認識させることができるようになっている。また、時間当りモードでは、輸液セットの種類と、単位時間当りの輸液速度（ｍｌ／ｈ）とを入力すると、それらの入力値から滴下時間間隔が演算され、その演算値により滴下タイミングを周期的なアラーム表示又は光学表示によって看護師などのオペレータに認識させることができるようになっている。そのため、この点滴速度調整補助具を用いることにより、看護師などのオペレータは、カード型電卓などの数値キーを操作することなく、輸液セットの滴下針からの輸液の実際の滴下タイミングがそのような周期的なアラーム表示や光学表示に合うように流量調節器を調節するという操作を行うだけで適切な滴下時間間隔を設定することができる。この点滴速度調整補助具は、２種類の操作キーを使い分けることによってモード切換えと輸液セットの種類の選択、輸液総量（ｍｌ）や輸液時間の設定、単位時間当りの輸液速度（ｍｌ／ｈ）の設定などを行うようになっていた。
【考案の開示】
【考案が解決しようとする課題】
【０００７】
しかしながら、看護師などのオペレータ自身の思考を経た数値キーの入力操作によってカード型電卓を操作して滴下時間間隔を算出したり暗算で算出したりすると、数値キーの入力操作に錯誤や勘違いなどが生じて適切な滴下時間間隔が算出されないおそれがある。
【０００８】
このようなおそれは、上記した従来の点滴速度調整補助具を用いることによって解消されるけれども、従来の点滴速度調整補助具は、上記したように２種類の操作キーを使い分けることによって演算モードと時間当りモードとの間でのモード切換えと輸液セットの種類の選択、輸液総量（ｍｌ）や輸液時間の設定、単位時間当りの輸液速度（ｍｌ／ｈ）の設定などの多くの入力操作を行うようになっていたが、数値キーやモード切替キー、その他の操作キーの数及び見にくさから、操作キーの押し間違いなどによる操作ミスを生じやすいという問題があった。
また、従来の点滴速度調整補助具は、カード型電卓に見られるような加減乗除計算を行う機能を発揮する電卓モードを備えていない。そのため、当該点滴速度調整補助具を携行しているだけでは、必要に応じて加減乗除計算を行うことができず、その要求に対処するには、当該点滴速度調整補助具のほかにカード型電卓を携行しなければならないという不便もあった。
【０００９】
本考案は以上の状況の下でなされたものであり、点滴モードと、加減乗除計算を行うための電卓モードと、時間表示を行うための時間モードと、カウントダウンを行うためのカウントダウンタイマーモードとの間でモード切換えを行うモード選択キーを備えるほか、上記点滴モードにおける、輸液セットの種類の選択、輸液総量（ｍｌ）や輸液時間の設定、単位時間当りの輸液速度（ｍｌ／ｈ）の設定などの入力操作を行うに際して、数値キーとを含むテンキーなどの入力用キー群を備えていることから、操作キーの押し間違いなどによる操作ミスを生じにくく、しかも、必要に応じて加減乗除計算を行う場合にも当該点滴速度調整補助具のほかにカード型電卓を携行しなければならないという不便を生じることのない点滴速度調整補助具を提供することを目的とする。
【課題を解決するための手段】
【００１０】
本考案に係る点滴速度調整補助具は、点滴モードと、加減乗除計算を行うための電卓モードと、時間表示を行うための時間モードと、カウントダウンを行うためのカウントダウンタイマーモードとの間でモード切換えを行うモード選択キーを備えると共に、点滴モード、電卓モード、時間モード、カウントダウンタイマーモードのそれぞれにおいて所要事項を表示するための液晶表示画面を備え、点滴モードでは輸液セットでの滴下タイミングを周期的にアラーム表示又は光学表示するようになっている。
【００１１】
また、上記点滴モードに、輸液セットによって定まる単位量当りの滴下数と輸液総量と輸液時間とから滴下時間間隔を算出する演算モードを備え、この点滴モードでの単位量当りの滴下数、輸液総量及び輸液時間を入力するための数値キーとを含むテンキーを備えていると共に、このテンキーによって上記電卓モードでの加減乗除計算を行うための数値の入力、カウントダウンの設定時間の入力、時間表示のための時間の入力を行うように構成した、というものである。
【００１２】
この構成を備えた点滴速度調整補助具によれば、モード選択キーを操作することによって、点滴モードと、加減乗除計算を行うための電卓モードと、時間表示を行うための時間モードと、カウントダウンを行うためのカウントダウンタイマーモードとの間でモード切換えを行うことが可能である。
また、上記点滴モードに、輸液セットによって定まる単位量当りの滴下数と輸液総量と輸液時間とから滴下時間間隔を算出する演算機能を備え、この点滴モードでの単位量当りの滴下数、輸液総量及び輸液時間をテンキーに含まれる数値キーを操作することによって、入力することができる。
したがって、従来のように２種類の操作キーを使い分ける場合に比べて操作キーの押し間違いが少なくなる。しかも、上記テンキーによって上記電卓モードでの加減乗除計算を行うための数値入力を行うようにしたので、必要に応じて加減乗除計算を行う場合にも当該点滴速度調整補助具のほかにカード型電卓を携行しなければならないという不便を生じることがなくなる。
【００１３】
本考案では、前記点滴モード、カウントダウンタイマーモードにおける液晶表示画面には、常時現在の時刻が表示される構成を採用することが可能である。
【００１４】
前記点滴モード、カウントダウンタイマーモードにおいて、液晶表示画面に常時現在の時刻が表示される場合、点滴モードにおいては、滴下数、輸液総量及び輸液時間を入力することから、これから行う点滴が凡そ何時頃終わるのか液晶表示画面に表示されている時間により知ることができる。また、カウントダウンタイマーモードにおいては、カウントダウンの設定時間を入力する際、カウントダウンが終わる時刻を参照することができると共に、入力した後はカウントダウンが終わる時刻を確認することができる。
【００１５】
また、本考案では、前記点滴モード、電卓モード、時間モード、カウントダウンタイマーモードのそれぞれにおいて所要事項を表示するための液晶表示画面及び前記所要事項を表示するための入力用キー群にバックライト機能が備わっている、という構成を採用することが可能である。
【００１６】
バックライト機能が備わっているという構成を採用することにより、例えば複数の人が入院している病室で、消灯後一人の入院患者に点滴を行うとき、病室の照明を点灯せずに所要事項を入力操作することができ、また、液晶表示画面の表示事項を明確に見極めることが可能であるので、病室などで周囲の患者に迷惑がかかることを未然に防ぐことが可能である。
【００１７】
さらに、本考案では、前記バックライトを点灯するライトキーが備えられ、最後のキー操作後、所定時間経過後に自動的に消灯するように構成を採用することが可能である。
【００１８】
さらに、本考案では、前記液晶表示画面と入力用キー群とを手のひらに乗せて掴むことのできる大きさに形成された偏平な筐体の前面に、前記入力用キー群の設置個所を開閉自在とする開閉カバーを設け、またその開閉カバーの裏面に鏡を設けるという構成を採用することが可能である。
【００１９】
前記入力用キー群の設置個所を開閉自在とする開閉カバーを前記筐体に設け、また、その開閉カバーの裏面に鏡を設けるという構成を採用することにより、入力用キー群の操作キーが不必要にキー入力されることを防止することができるとともに、女性看護士などが点滴作業が終わった後に、自分の身だしなみを整えることが簡単に行うことができる。
【考案の効果】
【００２０】
以上のように本考案に係る点滴速度調整補助具によれば、モード切換えや各種の数値入力などに、従来よりも多くの操作キーを割り当ててあるので操作キーの押し間違いによる操作ミスを生じにくくなり、適切な滴下タイミングを周期的にアラーム表示又は光学表示することができるようになる。また、当該点滴速度調整補助具自体に備わっているテンキーを操作することによって加減乗除計算を行うことが可能であるので、当該点滴速度調整補助具のほかにカード型電卓を携行しなければならないという不便を生じることがない。
【考案を実施するための最良の形態】
【００２１】
図１（Ａ）は本考案の実施形態に係る点滴速度調整補助具の正面図、（Ｂ）は同点滴速度調整具の側面図、図２は入力用キー群の配列を示した説明図、図３は液晶表示画面の説明図、図４はブロック図、図５はフローチャートである。
【００２２】
図１（Ａ）（Ｂ）のように、この点滴速度調整補助具は、手のひらに乗せて掴むことのできる大きさに形成された偏平な筐体１の前面に、入力用キー群２と液晶表示画面６とを配備することにより形成されていて、筐体１に取り付けられた開閉カバー１１によって図１（Ｂ）矢印ａのように入力用キー群２の設置箇所を開閉することができるようになっている。
また、この開閉カバーの裏面には鏡１１Ａが設けられている。
【００２３】
図３のように、液晶表示画面６の上縁部にモード種別の表示が印刷表記されていて、図例ではその印刷表記が「時計」「電卓」「タイマー」「点滴」の４つの表記でなり、これらはそれぞれ時計モード、電卓モード、カウントダウンタイマーモード、点滴モードを表している。
また、液晶表示画面６は上下に４区画されていて、上部区画にはアラーム表示部ＡＬ、バッテリー残量表示部Ｂ、現在時刻表示部Ｔ１、カウントダウンのための時間表示を行うタイマー表示部Ｔ２が備わり、中上部区画には単位量当りの滴下数を表す輸液セット表示部Ｄ１と１分当たりの滴下数（滴／ｍ）を表す分当り滴下表示部Ｄ２が備わり、中下部区画には輸液総量（ｍｌ）という項目名を表す輸液総量表示部Ａ１、１時間当りの輸液速度（ｍｌ／ｈ）という項目を表す輸液速度表示部Ａ２、並びに、それらの各項目に応じた数値を表示する輸液数値表示部Ａが備わり、下部区画には輸液総量全部を滴下させる時間を表す輸液時間表示部Ｃ１とその項目に応じた時間を表示する時間表示部Ｃが備わっている。
また、前記タイマー表示部Ｔ２は、カウントダウンのための時間表示のほか、電卓モードにおいては、電卓の計算数字の表示部しても使用する。
【００２４】
図２のように、入力用キー群２には、「０」から「９」までの数値キーや通常電卓として使用するについて必要とされている加減乗除計算などを行うための操作キー２１、点滴やカウントダウン開始のスタート動作などを行うためのスタート・ストップキー２２、モード選択キー２３、アラームキー２４、バックライトを点灯させるライトキー２５、アラーム音切換えキー２６、点滴モードやカウントダウンタイマーモード等における数値入力値を確定させる「ＳＥＴ」キー２７などのファンクションキー群が備わっている。
【００２５】
さらに、図１のように、筐体１には、滴下タイミングを光学表示するためのＬＥＤ発光部１２が備わっている。
【００２６】
この点滴速度調整補助具は第１及び第２の各演算回路、時計回路、タイマー回路、滴下信号発生回路などを内蔵していて（図４参照）、第１及び第２の各演算回路、時計回路、タイマー回路の４つの回路のうちの１つがモード選択キー２３を操作することによって選択される。すなわち、モード選択キー２３の押下げ動作を繰り返すと、液晶表示画面６に表示されるカーソル６１が順に横移動して選択されたモードを表す表記を指し示し、それによってオペレータは自己が選択したモードを知ることができる。図例の点滴速度調整補助具では、選択できるモードとして、点滴モード、時計モード、カウントダウンタイマーモード、電卓モードなどが定められている。そして、点滴モードに第１演算回路が対応し、時計モードには時計回路が対応し、カウントダウンタイマーモードにはタイマー回路が対応し、電卓モードに第２演算回路が対応している。
【００２７】
モード選択キー２３によって点滴モードを選択し、「ＳＥＴ」キー２７を押下げると液晶表示画面６の中下部区画の単位量（１ｍｌ）当りの滴下数を表す輸液セット表示部Ｄ１（図３参照）の表示が点滅する。この点滴モードでの動作を図５にフローチャートで示してある。
【００２８】
モード選択キー２３によって点滴モードを選択し、「ＳＥＴ」キー２７を押下げると液晶表示画面６の中上部区画の輸液セット表示部Ｄ１（図３参照）の表示が点滅して輸液セットの数量値の入力を促す。通常輸液セットの数量値は、１ｍｌに相当する滴下数が、１５滴のもの、１９滴のもの、２０滴のもの、６０滴のもの、の４種類のものが多く使用されており、この１５，１９，２０，６０の数量値をオペレータが数値キーを操作して入力し、「ＳＥＴ」キーを操作することによって輸液セットを確定する（ステップ１）。
つぎに、前記輸液セットを確定する「ＳＥＴ」キー２７を押下げると液晶表示画面６の中下部区画の輸液総量（ｍｌ）を示す輸液数値表示部Ａが点滅し、輸液総量（ｍｌ）の数量値の入力を促す。テンキー２１の数値キーを操作して輸液総量（ｍｌ）を輸液数値表示部Ａに表示させ、「ＳＥＴ」キー２７を操作することによって輸液総量（ｍｌ）を確定する（ステップ２）。
さらに、前記輸液総量（ｍｌ）を確定する「ＳＥＴ」キー２７を押下げると液晶表示画面６の下部区画の輸液時間を示す時間表示部Ｃが点滅し、輸液時間の時間の入力を促す。テンキー２１の数値キーを操作して輸液時間を時間表示部Ｃに時分の単位で表示させ、「ＳＥＴ」キーを操作することによって輸液時間を確定する（ステップ３）。
【００２９】
こうして輸液セットの選択輸液総量（ｍｌ）、輸液時間を設定した後、スタート・ストップキー２２で点滴タイマーをスタートさせると、その第１演算回路によって１分間当りの滴下数が演算され（ステップ４）、その演算結果（滴／ｍ）が滴下表示部Ｄ２に数値で表示される。次に、スタートキー２２（図２又は図４参照）を操作すると滴下信号発生回路（図４参照）を経て滴下信号が出力され（ステップ５）、その滴下信号に基づいて滴下タイミングが周期的なアラーム表示又は光学表示される（ステップ６）。アラーム表示は内蔵マイクによる発音によって行われ、光学表示は図１のＬＥＤ発光部１２の点滅によって行われる。したがって、輸液セットの滴下針からの輸液の実際の滴下タイミングがそのような周期的なアラーム表示や光学表示に合うように流量調節器を調節するという操作を行うだけで適切な滴下時間間隔が設定される。
【００３０】
次に、輸液総量（ｍｌ）の輸液総量表示部Ａ１と、１時間当りの輸液速度（ｍｌ／ｈ）を表示する輸液速度表示部Ａ２との間をカーソル６２が交互に移動し、輸液総量（ｍｌ）と１時間当りの輸液スピードを５秒間隔で液晶表示画面６に表示する（ステップ７）。
【００３１】
モード選択キー２３により時計モードを選択して「ＳＥＴ」キー２７でモードを確定すると、時計モードに対応する時計回路（図４参照）が選択される。続いて、時、分、秒、ＡＭ／ＰＭの文字が点滅し、時間数値の入力を促す。テンキー２１を操作することによって時、分、秒を入力し、ＡＭ／ＰＭをスタート・ストップキー２２で指示する。「ＳＥＴ」キー２７でセットを確認して終了する。
なお、この時計モードを選択することによって表示される現在時刻表示は、電卓モード以外のモード、即ち、点滴モードやカウントダウンタイマーモードにおいても、常時現在時刻表示するように構成されている。
【００３２】
モード選択キー２３によりカウントダウンタイマーモードを選択して「ＳＥＴ」キー２７でモードを確定すると、カウントダウンタイマーモードに対応するタイマー回路（図４参照）が選択される。そして、カウントダウンタイマーの時、分、秒の文字が点滅し、時間数値の入力を促す。
カウントダウンの時間を入れる前にＣＬ／Ｃキーを押し前のセットを消した後、テンキー２１を操作することによって、希望する時、分、秒を数字で入力し、スタート・ストップキー２２でセットとカウント開始を確認する。
【００３３】
モード選択キー２３により電卓モードを選択して「ＳＥＴ」キー２７でモードを確定すると、電卓モードに対応する第３演算回路（図４参照）が選択され、テンキー２１を操作することによって加減乗除計算を行うことができる。すなわち、数値キーや加減乗除記号を表す「÷」「×」「−」「＋」の各キーを操作して「＝」キーを操作すると、第２演算回路によって演算が行われ、その演算結果がたとえば現在時刻表示部Ｔ１に数字で表示される。なお、電卓モードが選択されたときには、たとえば、現在時刻表示部Ｔ１が入力された数字や演算結果を表示する表示に切り換わる。
【００３４】
この実施形態では、点滴モード、、電卓モード、時計モード、カウントダウンタイマーモードのそれぞれにおいて所要事項を表示するための液晶表示画面２１にバックライト機能を具備させてあり、そのバックライト機能がライトキー２５を押し下げることによって発揮されるようになっている。そのため、夜間の暗いときでも、照明を点灯せずに液晶表示画面６の表示事項を明確に見極めることが可能である。そのため、病室などで周囲の患者に迷惑がかかることを未然に防ぐことが可能である。
【図面の簡単な説明】
【００３５】
【図１】（Ａ）は本考案の実施形態に係る点滴速度調整補助具の一部省略正面図、（Ｂ）は同点滴速度調整具の側面図である。
【図２】入力用キー群の配列を示した説明図である。
【図３】液晶表示画面の説明図である。
【図４】ブロック図である。
【図５】演算機能のフローチャートである。
【符号の説明】
【００３６】
１    筐体
２    入力用キー群  
６    液晶表示画面
１１  開閉カバー
１１Ａ  鏡
２１  テンキー
２３  モード選択キー（モード決定キー）
【図１】
0003103399.tif 000003
【図２】
0003103399.tif 000004
【図３】
0003103399.tif 000005
【図４】
0003103399.tif 000006
【図５】
0003103399.tif 000007